(57)【要約】流体を収容する多層の基材から構成される使い捨て塗布具が提案され、塗布表面、特に人体表面に、流体、特に化粧ローション又はクリームを適用するのに有用である。流体は、流体貯蔵層に貯蔵され、流量制御層を経由して分配される。不透過性の層が、流体が塗り表面から逆流するのを防ぐ。
2004532776.tif 000002
【特許請求の範囲】
【請求項１】
使い捨て流体塗布具であって、該塗布具が基材及び流体を含み、該基材が、順に、
ａ）流量制御層；
ｂ）流体貯蔵層；及び
ｃ）流体不透過性層
を含み、少なくとも約０．５ｍｌの前記流体が前記流体貯蔵層内に存在することを特徴とする使い捨て流体塗布具。
【請求項２】
約１０ｍｌ〜約２０ｍｌの前記流体が、前記流体貯蔵層内に存在することを特徴とする請求項１に記載の使い捨て塗布具。
【請求項３】
約１２ｍｌ〜約１５ｍｌの前記流体が、前記流体貯蔵層内に存在することを特徴とする請求項１又は２に記載の使い捨て塗布具。
【請求項４】
前記流体が、液体類、ゲル類、ローション類、クリーム類、及び粉体類からなる群から選択されることを特徴とする請求項１〜３のいずれか一項に記載の使い捨て塗布具。
【請求項５】
前記流体が、ビタミン化合物類、皮膚処置剤類、洗浄界面活性剤類、抗ざ瘡活性物質類、抗しわ活性物質類、抗皮膚萎縮活性物質類、抗炎症活性物質類、局所麻酔剤類、着色剤類、人工日焼け活性物質類及び促進剤類、抗菌活性物質類、抗真菌活性物質類、抗ウイルス剤類、酵素類、日焼け止め活性物質類、酸化防止剤類、皮膚剥脱剤類、並びにこれらの組み合わせを含む群から選択される活性薬剤を含むことを特徴とする請求項１〜４のいずれか一項に記載の使い捨て塗布具。
【請求項６】
前記流量制御層が、穴あきフィルム、不織布材、マクロファイバーを有する不織布、織布材、メルトブローン構造、及びこれら材料の混合物を含むことを特徴とする請求項１〜５のいずれか一項に記載の使い捨て塗布具。
【請求項７】
前記流量制御層が、クリフ（CLIFF）フィルムを含むことを特徴とする請求項６に記載の使い捨て塗布具。
【請求項８】
前記流体貯蔵層が、詰綿、スポンジ、又は発泡体を含むことを特徴とする請求項１〜７のいずれか一項に記載の使い捨て塗布具。
【請求項９】
前記詰綿が、ビスコース繊維を含むことを特徴とする請求項８に記載の使い捨て塗布具。
【請求項１０】
前記流体貯蔵層が、流体を含有する及び分配することができる投与貯蔵器を含むことを特徴とする請求項１〜９のいずれか一項に記載の使い捨て塗布具。
【請求項１１】
前記投与貯蔵器が、破裂可能であることを特徴とする請求項１０に記載の使い捨て塗布具。
【請求項１２】
該流体不透過性層が、ポリマーフィルム、金属箔、又はこれら材料の混合物若しくは積層体を含むことを特徴とする請求項１〜１１のいずれか一項に記載の使い捨て塗布具。
【請求項１３】
前記流量制御層の流体貯蔵層に対する反対側上に配置される皮膚接触層を更に含むことを特徴とする請求項１〜１２のいずれか一項に記載の使い捨て塗布具。
【請求項１４】
前記流体不透過性層の流体貯蔵層に対する反対側上に配置される手に接触する層を更に含むことを特徴とする請求項１〜１３のいずれか一項に記載の使い捨て塗布具。
【請求項１５】
前記流量制御層の流体貯蔵層に対する反対側上に配置される皮膚接触層を更に含むことを特徴とする請求項１〜１４のいずれか一項に記載の使い捨て塗布具。
【請求項１６】
前記手に接触する層及び皮膚接触層が、織布材、不織布材、天然又は合成のスポンジ、ポリマーの網状スポンジ、紙基材、ポリマーの多孔性発泡体、コラーゲンシート、ポリマーのスクリム、及びこれらの材料の混合物から選択される、同一又は異なる材料を含むことを特徴とする請求項１４又は１５に記載の使い捨て塗布具。
【請求項１７】
前記基材、前記流体、又は両方を、加熱又は冷却するための温度変更要素を追加的に含むことを特徴とする請求項１〜１６のいずれか一項に記載の使い捨て塗布具。
【請求項１８】
前記温度変更要素が、化学反応から生じる熱、溶解熱、結晶化熱、又はこれらの混合を提供することを特徴とする請求項１７に記載の使い捨て塗布具。
【請求項１９】
前記温度変更要素が冷却要素であり、冷却が吸熱化学反応により提供されることを特徴とする請求項１７に記載の使い捨て塗布具。
【請求項２０】
触媒を含有する触媒チャンバー、及び反応物質を含有する別個の反応物質チャンバーを追加的に画定し、これらのチャンバーが破裂可能であり、破裂すると、これらのそれぞれの内容物が混合されて反応を開始し、温度変化を生じさせることを特徴とする請求項１７〜１９のいずれか一項に記載の使い捨て塗布具。
【請求項２１】
請求項１〜２０のいずれか一項に記載の使い捨て塗布具を持つこと、及びそれを皮膚の上にこすりつけることを含むことを特徴とする流体を皮膚に適用する方法。
【発明の詳細な説明】
【技術分野】
【０００１】
本発明は、ローションのような流体を皮膚又は他の部位に適用するのに有用な、使い捨ての流体塗布具に関する。これらの塗布具は、複数の層及び流体を含む。消費者は、流体を適用したい領域上に塗布具をこすりつけることによって塗布具を使用する。本発明はまた、本発明の塗布具を使用して流体を皮膚に適用する方法を包含する。
【背景技術】
【０００２】
ボディローションのような流体を皮膚に適用することは、通常は煩わしい経験である。大部分のボディローションは、大きな瓶で販売されている。ユーザーは、ある量のローションをその手に注いで、それを自分の皮膚又は他人の皮膚に適用する。典型的には、これにより、不快な量のローション残留物がユーザーの手に残り、物質を浪費する。その結果、多数の人々が、ボディローションを使用しないか、又はまれに使用するだけである。
【発明の開示】
【発明が解決しようとする課題】
【０００３】
流体を皮膚に適用するために、幾つかの装置が提案されてきた。一般に、これらの装置は、流体を含有する層、及びある種の対面材料を有する。流体塗布具を開示する参考文献には、米国特許第６，１５６，３２３号、米国特許第４，７６２，１２４号、米国特許第４，５１５，７０３号、及び欧州特許第０１１２６５４号が挙げられる。しかしながら、制御した量の流体を適用することができて、その上心地よさをユーザーに提供することができる使い捨て塗布具に対する必要性が依然として存在する。
【課題を解決するための手段】
【０００４】
本発明の第一の態様により、使い捨て流体塗布具が提案され、塗布具は基材及び流体を含み、該基材が、順に、
ａ）流量制御層；
ｂ）流体貯蔵層；
ｃ）流体不透過性層
を含み、少なくとも約０．５ｍｌの前記流体が前記流体貯蔵層内に存在する。
【０００５】
本発明による使い捨て塗布具は、分配する流体を既に含んでいるので、使用の前にいかなる流体をも加える必要がない。
好都合にも、約１０ｍｌ〜約２０ｍｌの前記流体が、前記流体貯蔵層内に存在する。より好都合なことには、流体貯蔵層は約１２ｍｌ〜約１５ｍｌの流体を含む。
【０００６】
本流体は、ビタミン化合物、皮膚処置剤、洗浄界面活性剤、抗ざ瘡活性物質、抗しわ活性物質、抗皮膚萎縮活性物質、抗炎症活性物質、局所麻酔剤、着色剤、人工日焼け活性物質及び日焼け促進剤、抗菌活性物質、抗真菌活性物質、抗ウイルス剤、酵素、日焼け止め活性物質、酸化防止剤、皮膚剥脱剤、及びこれらの組み合わせを含む群から選択することができる活性薬剤を含む。
【０００７】
本発明による流量制御層は、穴あきフィルム、不織布材、マクロファイバーを有する不織布、織布材、メルトブローン構造、又はこれら材料の混合物を含んでもよい。好都合にも、流量制御層は、アトマー（Atmer）を１％有し、０．８ｇｓｍのシリコンコーティングされたＬＤＰＥの水流開孔フィルムであるクリフ（CLIFF）（商標）（布様の成形フィルム）（トレドガー社（Tredegar Corp.））を含む。
【０００８】
本発明による流体貯蔵層は、詰綿、スポンジ、又は発泡体を含んでもよい。好都合にも、詰綿は、それ自体がビスコース繊維を含んでもよい。追加的に又は代替として、流体貯蔵層は、流体を含有して分配することができる投与貯蔵器を含んでもよい。好都合にも、投与貯蔵器は破裂可能であるが、当業者に既知の他の方法も流体の放出を容易にするのに使用してもよい。
【０００９】
本発明による流体不透過性の層は、ポリマーフィルム、金属箔、又はこれらの材料の混合物若しくは積層体を含んでもよい。
【００１０】
好都合にも、本発明による使い捨て塗布具は、流量制御層の流体貯蔵層に対する反対側上に配置される皮膚接触層、及び／又は流体不透過性層の流体貯蔵層に対する反対側上に配置される手に接触する層を含んでもよい。手に接触する層及び皮膚接触層は、織布材、不織布材、天然又は合成のスポンジ、ポリマーの網状スポンジ、紙基材、ポリマーの多孔性発泡体、コラーゲンシート、ポリマーのスクリム、及びこれらの材料の混合物から選択される、同一又は異なる材料を含んでもよい。
【００１１】
好都合にも、本発明による使い捨て塗布具は追加的に、基材、流体、又は両方を、加熱又は冷却するための温度変更要素を含んでもよい。温度変更要素は、化学反応から生じる熱、溶解の熱、結晶化熱、電気的加熱要素の熱、又はこれらの混合を提供してもよい。あるいは、温度変更要素は冷却要素であってもよく、冷却は、吸熱化学反応、電気的冷却要素、又はこれらの混合により提供されてもよい。特定の実施形態によれば、使い捨て塗布具は追加的に、触媒を含有する触媒チャンバー、及び反応物質を含有する分離した反応チャンバーを画定するが、これらのチャンバーは破裂可能であるため、破裂時にそれぞれの内容物が混合されて反応を開始し、温度変化を生み出すことができる。
【００１２】
本発明の第二の態様によれば、請求項１〜２１のいずれか一項に記載の使い捨て塗布具を持つ段階、及びそれを皮膚の上にこすりつける段階を含む、流体を皮膚に適用する方法が提案される。
【発明を実施するための最良の形態】
【００１３】
他に表示がない限り、本明細書で使用する全てのパーセンテージ及び割合は、総組成物の重量によるものであり、測定はすべて２５℃で実施する。
本明細書で引用した全ての刊行物は、その全体を参考のために本明細書に示す。
【００１４】
実際に測定した値の特定の例を提示する場合を除いて、本明細書で言及する数値は、「約」という言葉が付与されていると考えるべきである。
【００１５】
本明細書で使用する「使い捨て」は、その普通の意味で使用されており、限られた数の使用事象の後で、好ましくは２５回未満、より好ましくは約１０回未満、最も好ましくは約２回未満の完全な使用事象の後で、処分又は廃棄される塗布具を意味する。
【００１６】
本明細書で使用する「マイクロファイバー」という用語は、約１００μｍ以下の平均直径を有する、好ましくは約０．５μｍ〜約５０μｍの直径を有する、より好ましくは約１μｍ〜約２０μｍの平均直径を有する繊維を含む。約３μｍ以下の平均直径を有するマイクロファイバーは、極細マイクロファイバーと呼ばれることがある。
【００１７】
本明細書で使用する「流体」という用語は、液体類、ゲル類、ローション類、クリーム類、及び粉体類などの流動可能な物質を含む。この用語は、ある種のワックスのように室温では固体であるが、使用に際して液化するために加熱されてもよい物質さえ含んでもよい。
【００１８】
本発明で有用な活性成分及び他の成分は、その美容的及び／若しくは治療的利益、又はその要求される作用様式によって、本明細書で分類又は記述することができる。しかし、本発明で有用な活性成分及び他の成分が、場合によっては２つ以上の美容的及び／若しくは治療的利益を提供することができること、又は２つ以上の作用様式を介して作用できることを理解されたい。したがって、本明細書での分類は便宜上のものであって、ある成分を特に述べた又は列記した用途に限定しようとするものではない。
【００１９】
本発明は、流体を対象表面上に沈着させる塗布具システムを定義する。好ましい実施形態では、それはボディローションのような化粧流体を、人間の皮膚又は毛髪などの人体の一部に沈着させる、単一の用途の塗布具である。本塗布具システムは、製品の有効性及び使用者の使用中の経験の領域で幾つかの利点がある。本塗布具は、使用が速やかで容易である。本塗布具は、ユーザーの手を製品との接触から保護する。これは、汚れを減少させる利点があり、また刺激物（例えば、顔料入り製品、自己日焼け剤、染料、漂白剤）が他の人により適用される場合には、刺激物からユーザーの皮膚を保護することができる。これは、塗布プロセス（例えば、オムツ発疹又は皮膚真菌症の治療）の間の手の皮膚への接触を排除するので、本塗布具は衛生的利益をも有する。
【００２０】
本塗布具は、配合禁忌の成分を単一の装置から塗ることを可能にする。例えば、本塗布具は、異なるｐＨ要求を有する成分（例えば、サリチル酸／ニコチン酸アミド）又は水安定性が乏しい物質（例えば、酵素と保湿剤との組み合わせ）を送給することができる。塗布具基材は、皮膚の剥脱を介して有効利益を送給することができる。これは、皮膚表面を滑らかにする効果を有し、また皮膚中への成分の浸透を強めることもできる。塗布具基材の表面テクスチャは、使用中にマッサージのような感覚をユーザーにもたらすこともできる。塗布具はまた、塗布プロセスの間に暖かさ又は冷たさを送給するように設計することもできる。これがユーザーの体験を強め、温暖効果が成分の浸透を増加することもできる。その上、塗布具の形状及び大きさを変化させることができ、人間工学的にカスタム化する追加的な機構（例えば、ハンドル／ストラップの追加、握りを改善する高摩擦コーティング、手袋又はミットとしての形体）を追加することができる。
【００２１】
本発明の皮膚接触層は、適切な肌触り特性をもたらす物質を含んでもよいが、皮膚の上に繰り返しこすりつける間、一体性を維持するために十分に頑強である。適切な肌触り特性には、例えば、心地よい、爽快にさせる、及び／又はマッサージの感覚を挙げることができる。適切な肌触り特性は、異なる感触を有する領域を提供する複数の材料を使用して成し遂げることができる。例えば、皮膚接触層は、心地よい（柔らかい）皮膚感覚をもたらす領域、及びより荒い爽快にさせる感覚をもたらす他の領域を有してもよい。皮膚接触層は、適切な使用中の感覚をもたらすことができるが、皮膚の上に繰り返しこすりつけた後も一体性を維持するために十分に頑強であり得る、任意の基材から形成することができる。皮膚接触層はまた、流体に対する追加的な流量制御を提供することもできる。
【００２２】
上記基準を満たす好適な基材の非限定的な例として、織布材、不織布材、天然スポンジ、合成スポンジ、ポリマーの網状スポンジ、紙基材、ポリマーの多孔性発泡体、コラーゲンシート、ポリマーのスクリムが挙げられる。本明細書で使用するのに好ましい基材は、紙基材及び不織布材であるが、これらが経済的であって容易に入手可能であり、大部分の技術的仕様に適合するからである。
【００２３】
不織布材は、無秩序な繊維層及びカーディング繊維層の組み合わせを含んでもよい。その繊維は天然由来でも合成されたものでも構わない。本発明で有用な天然繊維には、絹繊維、羊毛繊維及びラクダ被毛繊維などのケラチン繊維等、並びに木材パルプ繊維、木綿繊維、麻繊維、黄麻繊維、亜麻繊維を含む繊維、及びこれらの混合物がある。本発明で有用な合成繊維として、アセテート繊維、アクリル繊維、セルロースエステル繊維、アクリル系繊維、ポリアミド繊維、ポリエステル繊維、ポリオレフィン繊維、ポリビニルアルコール繊維、レーヨン繊維、ポリウレタンフォーム、及びこれらの混合物が挙げられる。
【００２４】
不織布層は、水流交絡、気流交絡、熱結合、及びこれらの方法の組み合わせを含む様々な方法により調製することができる。その上、本発明の基材は、単一層又は複数層からなることができる。更に、複数層の基材は、フィルム及び他の非繊維性材料を含むことができる。
【００２５】
合成繊維で作成された不織布材は、多種多様な販売元から入手することができる。本明細書で有用な好適な不織布層の材料の例は、国際公開第９８／１８４４４号に記載されているが、マサチューセッツ州ウォルポール（Walpole,MA）のベラテック社（Veratec,Inc.）から入手可能なレーヨン約５０％及びポリエステル約５０％を含有する坪量が平方メートル当り約５１グラム（ｇｓｍ）の穴あき水流交絡材料ＨＥＦ４０−０４７、マサチューセッツ州のベラテック社から入手可能なポリプロピレン約１００％を含有する坪量が約６０ｇｓｍの熱結合されたグリッドパターンの材料ノボネット（Novonet：登録商標）１４９−６１６、並びにマサチューセッツ州のベラテック社から入手可能なポリエステル約１００％を含有する坪量が約８４ｇｓｍのナブ付き穴あき水流交絡材料ＨＥＦナブテックス（Nubtex：商標）１４９−８０１が挙げられる。
【００２６】
本発明により使用可能な多層不織布は、穴あき積層ウェブとすることができる。これらは、当該技術分野で既知の方法により作ることができる。不織布ウェブに穴をあける有利な１つの方法は、例えば本発明の譲受人に共に譲渡された米国特許第５，９１６，６６１号に開示されている。この特許は、例えば、メルトブローンウェブ、結合したカード加工ウェブ、又は他の好適な材料のうちの少なくとも１層に接合された、少なくとも１層のスパンボンドウェブを有する積層材料を教示する。この材料は、本特許の目的の場合、ＳＡＮ（伸長穴あき不織布）と呼ぶこととする。この用途での使用にやはり好適なものに、米国特許第０９／４６７９３号で開示された積層ウェブがあり、差分伸び複合体（ＤＥＣ）が教示される。この材料は、複数の穴を有する積層ウェブであり、該積層ウェブは、
１）第一の破断伸びを有する第一の延伸性ウェブと、
２）複数の結合点で前記第一の延伸性ウェブに結合された第二の延伸性ウェブであって、該第二の延伸性ウェブが第二の破断伸びを有する第二の延伸性ウェブと、
３）前記第一及び第二のウェブの間に配置された第三のウェブ材料であって、該第三のウェブ材料が前記第一又は第二の破断伸びの両方よりも小さい破断伸びを有する第三のウェブ材料とを含む。
【００２７】
別の実施形態では、複数の不連続な結合場所にて接合された第一及び第二の伸長性ウェブ並びに第一及び第二の不織布ウェブの間に配置された第三の材料を有する、穴あき積層ウェブを使用することができる。第一及び第二の不織布ウェブは、穴を介して流体連通しており、坪量、繊維配向、厚さ、及び密度からなる群から選択される少なくとも１つの特性により識別される明確な領域を有する。
【００２８】
上述した材料は、ＤＥＣと呼ばれ、プロクター・アンド・ギャンブル社（the Procter & Gamble Company）により供給される。
【００２９】
天然材料で作られた紙基材は、最も一般的には繊維の懸濁液から極細ワイヤースクリーン上で形成される、ウェブ又はシートからなる。Ｃ．Ａ．ハンペル（C.A.Hampel）らの「化学百科事典（The Encyclopedia of Chemistry）」第３版、１９７３年、７９３〜７９５頁（１９７３年）、「アメリカーナ百科事典（The Encyclopedia Americana）第２１巻、３７６〜３８３頁（１９８４年）、及びＧ．Ａ．スムーク（G.A.Smook）の「パルプと紙の技術ハンドブック（Handbook of Pulp and Paper Technologies）」、パルプ製紙工業技術協会（Technical Association for the Pulp and Paper Industry）（１９８６年）を参照のこと。本発明で有用な天然材料で作られた紙基材は、多種多様な販売元から得ることができる。本明細書で有用な好適な市販紙基材として、米国ジョージア州（Roswell,GA,USA）のキンバリークラーク社（Kimberley-Clark Corp.）から入手可能な「キムワイプ（Kimwipes）ＥＸ−Ｌ」と、ウィスコンシン州（Green Bay,WI）のジェームズ・リバー（James River）から入手可能な秤量約８５ｇｓｍを有するエンボス加工した空気積層のセルロース層であるエアテックス（Airtex：登録商標）と、ノースカロライナ州（Mount Holly,NC）のウォーキソフトＵＳＡ（Walkisoft U.S.A.）から入手可能な秤量約９０ｇｓｍを有するエンボス加工した空気積層のセルロースであるウォーキソフト（Walkisoft：登録商標）が挙げられる。
【００３０】
本発明による流体塗布具に組み入れてもよいポリマーの網状スポンジには、欧州特許第７０２５５０号及び国際公開第９８／１８４４４号に記載されるものが挙げられる。
本発明による流体塗布具に組み入れてもよいポリマーの多孔性発泡体には、米国特許第５，２６０，３４５号及び米国特許第４，３９４，９３０号に記載されているものが挙げられる。
【００３１】
好ましくは、皮膚接触層は、ノボネット（Novonet）１４９−６１６、コロビン（Corovin）ＬＬＤＰＥ、ＳＡＮ、スオミネン（Suominen）から供給されるＰＰ／レーヨン混合物、及びＤＥＣから選択される。更により好ましくは、皮膚接触層は、コロビン（Corovin）ＬＬＤＰＥ、スオミネン（Suominen）からのＰＰ／レーヨン混合物、及びＤＥＣを含む。より好ましくは、皮膚接触層は、スパンボンドされたコロビン（Corovin）ＬＬＤＰＥ６０ｇｓｍを含む。
【００３２】
流量制御層は、流体貯蔵層から皮膚への流体の移動を制御する浸透性の基材層（又は層群）である。非限定的な例として、穴あきフィルム、不織布、マイクロファイバーを有する不織布、織布、メルトブローン構造、及びこれらの組み合わせ、又は当業者に既知の流体流量を制御する他の可撓性材料が挙げられる。マイクロファイバーで作られた不織布膜は、より小さい効果的な穴を作り出すことができるので、より薄い基材が可能である
本発明により流量制御を達成するために、流量制御層は、５〜５００ｃｍ3／ｃｍ2／ｓの範囲、好ましくは１０〜１００ｃｍ3／ｃｍ2／ｓの範囲、より好ましくは１５〜６０ｃｍ3／ｃｍ2／ｓの範囲の、以下に定義する水流動速度試験により測定した水流量速度を有するのが有利である。
【００３３】
穴あきフィルムの穴の大きさは、２０μｍ〜５００μｍ、より好ましくは５０μｍ〜２００μｍとすることができる。穴の数は、実流量速度を必要どおりに変更するために調整することができるが、好ましくは１００〜２０００個／ｃｍ2の範囲、より好ましくは５００〜１７００個／ｃｍ2の範囲である。
【００３４】
不織布、織布、及びメルトブローン構造の場合、空隙率は、構造の坪量（厚さ）と同様に平均繊維直径により調整することができる（繊維の数及びサイズが、流体が空間を占めて所与の圧力に対して流量速度を変化させることができる孔を本質的に作り出す）。好適なメルトブローン構造は、２ｇｓｍ〜３０ｇｓｍの範囲の坪量を有することが判明したが、したがって空隙率、しかるに流量速度を調節するために坪量を使用することができる。
【００３５】
本明細書で有用な成形フィルム基材として、流体不浸透性のプラスチック材料を含む、繊維様外観及び触感を呈する弾力性の三次元ウェブである穴あき成形フィルムがあるが、該ウェブは複数の穴を有し、その穴は、米国特許第４，３４２，３１４号に記載されているように複数の交差する繊維様要素により画定される。米国特許第４，３４２，３１４号に記載されたシート材料は、ポリエチレン、ポリプロピレン、ＰＶＣなどの疎水性プラスチックを使用して調製され得、生理用品のような吸収性製品中に使用されることは周知である。そのような材料の例として、上記特許に記載された成形フィルムがあるが、プロクター・アンド・ギャンブル社（The Procter and Gamble Company）から「ドライウィーブ（DRI-WEAVE）」として生理用ナプキンで市販されている。更に、そのような材料は、その疎水性を減少させる表面処理を施してあってもよい。この用途で使用するのに好適な成形フィルム基材の追加的な例として、ＡＴＭＥＲ（商標）（ユニキーマ（Uniquema））を１％有し０．８ｇｓｍのＳｉをコーティングしたＬＤＰＥを水流開孔した成形フィルムであるＣＬＩＦＦ（布様成形フィルム）がある。
【００３６】
好ましくは、流量制御層は、ドライウィーブ（DRI-WEAVE）、及びＡｔｍｅｒ１００を１％有し０．８ｇｓｍのＳｉをコーティングしたＬＤＰＥを水流開孔した成形フィルムであるＣＬＩＦＦから選択される。最も好ましくは、流量制御層は、Ａｔｍｅｒ１００を１％有し０．８ｇｓｍのＳｉをコーティングしたＬＤＰＥを水流開孔した成形フィルムであるＣＬＩＦＦから選択される。
【００３７】
本発明の流体貯蔵層は、流体を貯蔵し制御した放出を助けるのに使用される。この層は、吸収特性を有する、及び／又は流体貯蔵用の空隙を有する、１つ以上の材料を含んでもよい。吸収性材料タイプの非限定的な例として、詰綿（不織布材の一形態）、スポンジ、及び発泡体が挙げられる。好適なスポンジ材料は、欧州特許第０７０２５５０号及び国際公開第９８／１８４４４号に開示されるような、ポリマーの網状スポンジである。
【００３８】
本発明の流体貯蔵層で有用な詰綿は、かさ高であるのが好ましい。本明細書で使用する「かさ高」は、層が、約０．００００５ｇ／ｃｍ3〜約０．１ｇ／ｃｍ3、好ましくは約０．００１ｇ／ｃｍ3〜約０．０９ｇ／ｃｍ3の密度を有し、０.８９ｇ／ｃｍ2（５グラム／ｉｎ．2）で約０．１ｃｍ（０．０４インチ）〜約５ｃｍ（２インチ）の厚さを有することを意味する。
【００３９】
詰綿は、合成材料又は天然材料を含んでもよいが、アセテート繊維、アクリル繊維、セルロースエステル繊維、アクリル系繊維、ポリアミド繊維、ポリエステル繊維、ポリオレフィン繊維、ポリビニルアルコール繊維、レーヨン繊維、ポリエチレンフォーム、ポリウレタンフォーム、及びこれらの組み合わせなどの合成材料を含むのが好ましい。好ましい合成材料、特に繊維は、ナイロン繊維、レーヨン繊維、ポリオレフィン繊維、ポリエステル繊維、及びこれらの組み合わせからなる群から選択することができる。好ましいポリオレフィン繊維は、ポリエチレン、ポリプロピレン、ポリブチレン、ポリペンテン、これらの組み合わせ、及びこれらのコポリマーからなる群から選択される繊維である。より好ましいポリオレフィン繊維は、ポリエチレン、ポリプロピレン、これらの組み合わせ、及びこれらのコポリマーからなる群から選択される繊維である。好ましいポリエステル繊維は、ポリエチレンテレフタレート、ポリブチレンテレフタレート、ポリシクロヘキシレンジメチレンテレフタレート、これらの組み合わせ、及びこれらのコポリマーからなる群から選択される繊維である。より好ましいポリエステル繊維は、ポリエチレンテレフタレート、ポリブチレンテレフタレート、これらの組み合わせ、及びこれらのコポリマーからなる群から選択される繊維である。最も好ましい合成繊維は、ポリエチレンテレフタレートホモポリマーを有する、固体ステープルポリエステル繊維を含む。
【００４０】
好適な合成材料には、固体の単一成分（即ち、化学的に均一）の繊維、多構成の繊維（即ち、２種以上の材料が各繊維を作り上げる）、多成分の繊維（即ち、何らかの方法で織り合わされてより大きな繊維を製造する２つ以上の異なるフィラメント種を含む合成繊維）、及びこれらの組み合わせを挙げることができる。好ましい繊維には、２成分繊維、多組成繊維、及びこれらの組み合わせが挙げられる。このような２成分繊維は、コア／シース構成又はサイド・バイ・サイド構成を有していてもよい。いずれの例においても、詰綿層は、上に記載した材料を含む繊維の組み合わせか、又はそれ自体が上に記載した材料を含む繊維のいずれかを含んでもよい。
【００４１】
コア／シース繊維の場合、好ましくはコアは、シース材料よりも少なくとも約１０℃高いＴｇを有する、ポリエステル、ポリオレフィン、及びこれらの組み合わせからなる群から選択される材料を含む。反対に、２成分繊維のシースは、コア材料よりも少なくとも約１０℃低いＴｇを有するポリオレフィン、コア材料よりも少なくとも約１０℃低いＴｇを有するポリエステル、ポリオレフィン、及びこれらの組み合わせからなる群から選択される材料を含むのが好ましい。
【００４２】
サイド・バイ・サイド構成、コア／シース構成、及び固体単一成分構成の全ての場合において、詰綿層の繊維、特に２成分型の繊維は、らせん状、渦巻き状、又は波（crimp）形の形状を示すことができる。
【００４３】
その上、詰綿繊維は、約０．５μｍ〜約１５０μｍの平均厚さを有するのが好ましい。より好ましくは、繊維の平均厚さは約５μｍ〜約７５μｍである。更により好ましい実施形態では、繊維の平均厚さは約８μｍ〜約４０μｍである。更に、詰綿繊維は、様々な大きさであってもよい。即ち、詰綿層の繊維は、異なる平均厚さを有する繊維を含んでもよい。また、その繊維の断面は、球形、平形、楕円形、長円形、又は別の形状とすることができる。
【００４４】
別の実施形態では、詰綿は、複合材料、即ち、単に物理的に重ね合せて、連続的（例えば、ラミネート化等）若しくは不連続的パターンで共に結合されるか、又は層の外側縁部（若しくは周囲）及び／若しくは不連続の位置で結合された、同一若しくは異なる適切な材料の１つ以上の層を有する材料を含むことができる。例えば、詰綿は、繊維性不織布、スポンジ、発泡体、網状発泡体、ポリマーのネット、スクリム、真空成形積層体、成形フィルム、及び成形フィルム複合材料からなる群から選択される、複合材料を更に含むことができる。好ましい詰綿は、少なくとも１つの成形フィルム及び少なくとも１つの不織布を有する成形フィルム複合材料を含み、その層は真空成形されている。好適な成形フィルム複合材料は、坪量が３０ｇｓｍのカード加工したポリプロピレンの不織布を成形フィルムと結合することにより形成される真空積層複合成形フィルム材料を含むが、これに限定されない。
【００４５】
有利なことには、本流体貯蔵層中の詰綿は、ビスコース、好ましくは少なくとも５０重量％のビスコース、より好ましくは少なくとも８０重量％のビスコース、更により好ましくは少なくとも９０重量％のビスコースを含む。一実施形態では、流体貯蔵層は、ニードルパンチした２００ｇｓｍの１００％ビスコースとすることができる。ビスコースは、使用の後に、他の材料にて生じることがあるよりも極く少量の流体が回収不可能な程に塗布具内に残るので、これにより流体の廃棄量が減少するという利点を有する。
【００４６】
追加的に又は代替として、流体貯蔵層は、国際公開第９８／５５１０９号及び第９７／２５２６８号に記載されるように、製品容器を備えることができる。
追加的に又は代替として、本発明の流体貯蔵層は、壊れ易いシールを有する投与貯蔵器を備えることができる。そのような投与貯蔵器は、対象表面への分配のために、投与貯蔵器内の少なくとも１つの内部チャンバーから貯蔵器の１つ以上の外側表面へ分配及び／又は分散することができる流体を含有する。１つ以上の内部チャンバーは、分配する又は分散する流体に好適な任意の大きさ、形状、及び組成にもすることができる。使い捨て流体塗布具が拭き布のような構成を有する場合、例えば、１つ以上のチャンバーは、実質的に平面形状を有することができる。
【００４７】
投与貯蔵器の１つの重要な特徴は、ユーザーにより「活性化」された時に破裂し易いか、さもなければ含有する流体を分配するが、製造、包装、及び輸送中の尚早の分配には抵抗し、これにより使用の時まで流体の品質及び量を保持する能力である。投与貯蔵器は、周辺部の周りを透過性の膜によりシールされた可撓性のフィルムで作ってもよい。非限定的な例では、投与貯蔵器は、それ自体の上に部分的又は完全に折り曲げられた単一の材料で形成することができる。次に、折り曲げられた材料は、少なくとも３辺上でヒートシールすることができる。次に、１つ以上の内部容量は、流体を含有することができる。投与貯蔵器は、２つのフィルムを共通の周辺に沿って相互にシールすることによっても作ることができる。その可撓性フィルムは、片方又は双方の辺の上にシーラントを含むことができ、ＰＥＴ、ナイロン、又はポリプロピレンの薄い層などのより高い融点の支持構造を含むことができる。投与貯蔵器を作り出すシールは、ロックアップシール若しくは溶接シールのような永久シールであり得るか、又は破裂性若しくは壊れ易い容積を有することができる。
【００４８】
一実施形態では、投与貯蔵器は、望む時に、例えば指又は手の圧力などの比較的低い力で破裂又は破壊して流体を放出するように設計することができる。これは、永久シール及び壊れ易いシールを含むシールシステムを有することによって、達成することができる。本明細書で使用する「壊れ易い」という用語は、破裂し易く、その結果流体の放出となることを意味する。永久シールは、投与貯蔵器又はセルに力がかけられた時に破裂しないシールのことである。貯蔵器が絞られると、壊れ易いシールは、他のシールよりも低い剥離力を有するので、シールが分離し、最初に譲るか又は破断する。一実施形態では、壊れ易いシールは、２．２３〜４４．５Ｎ（０．５〜１０ポンド）、より好ましくは４．４５〜１７．８Ｎ（１〜４ポンド）の付加力で、理想的には破裂する。
【００４９】
有利なことには、応力集中要素を壊れ易いシールのシール幾何形状に組み入れて応力を局在化させ、好適な予想し得る破裂場所をもたらすことができる。応力集中要素は、「Ｖ」、ノッチ、半円のように、又は所望の破裂強度及び特性に応じて様々な他の形状に、形作ることができる。応力集中要素は、セルを破裂させるのに必要な力と同様に、壊れ易いシールが破裂する場所を制御する助けができる。例えば、Ｖノッチシールを有する貯蔵器を加圧すると、主としてＶの頂点に力が局在化し、その領域を最初に破裂させることができる。これは、破裂又は分配力、及び破裂が生じる場所のばらつきを減少する助けとなり得る。
【００５０】
貯蔵器の内部容積は、配合禁忌の製品を混合するために、複数のチャンバーからなり得る。非限定的な例として、１つのチャンバーの流体は皮膚洗浄溶液とする一方で、別のチャンバーの流体は皮膚に潤いを与えるオイルとすることができる。あるいは、幾つかの製剤を順次投与して、より優れた効能を与えることができる。
【００５１】
投与貯蔵器は、可撓性のフィルムにより画定することができる。使用してもよい可撓性のフィルムには、３５℃／２０％ＲＨで１０％製品損失／年未満の透過であるフィルムが挙げられ、その結果、活性化合物は設計活性を維持する。これは、３０秒後に通過した液体がないという点で液体不透過性であり、水蒸気透過速度（ＷＶＴＲ）が４０℃／９０％ＲＨで６ｇ／ｍ2／日未満であるという点で蒸気／溶液に対するバリアとなり、任意選択的にＯ2ＴＲ（酸素透過速度）が２３℃／５０％ＲＨで２００ｃｃ／ｍ2／日／１気圧未満であるという点でガスに対するバリアであるフィルムを使用して、達成することができる。
【００５２】
好ましくは、そのフィルムは、金属蒸着ＰＥＴ、アルミニウム箔、ＳｉＯ2、又はこれらの混合物などの高バリア材料を含む、積層フィルム又は他の多層構造である。好ましい実施形態では、フィルムは、液体、ガス、及び蒸気に対する非常に良好なバリア特性が得られる少なくとも１つのアルミニウム層をそれ自体が有する、例えば、それぞれの厚さが５０μｍ／１２μｍ／２４μｍであるサーリン（Surlyn：登録商標）／金属蒸着ＰＥＴ／ＬＤＰＥである積層体を含む。任意選択的に、５０μｍより厚い高密度ポリエチレン（ＨＤＰＥ）、１００μｍより厚いポリプロピレン（ＰＰ）、又は１５０μｍより厚い低密度ポリエチレン（ＬＤＰＥ）のような熱可塑性樹脂を使用することができる。それらの材料がたとえ本来的に高バリア材料でなくても、使用する厚さにより良好なバリア特性が可能になる。
【００５３】
好ましくは、流体貯蔵層は、独国（Schwarzenbach,Germany）のザンドラー（Sandler）により供給される坪量８０ｇｓｍのポリエステル／ポリエチレンテレフタレートの詰綿、又は坪量２００ｇｓｍのビスコースから選択される。最も好ましくは、流体貯蔵層は、ニードルパンチした２００ｇｓｍの１００％ビスコースを含む。
【００５４】
本発明の流体不透過性の層は、流体がユーザーの手へ後ろ向きに流れて、これにより流体を浪費するのを防ぎ、特にその人が流体が適用されている人でない場合には、ユーザーの不愉快感及び刺激を引き起こす可能性を防ぐために使用される。いかなる可撓性の液体不透過性材料も使用することができる。好ましい材料には、ポリマーフィルム、箔又は箔積層体、及びゴアテックス（GORETEX：商標）のような通気性の基材（防水性であるがガス／蒸気の通過が可能）が挙げられる。好ましくは、本発明の流体不透過性の材料は、ポリオレフィンフィルムである。より好ましくは、ポリプロピレン又はポリエチレン、好ましくはポリエチレンである。更により好ましくは、その材料は、低密度ポリエチレン（ＬＤＰＥ）である。好ましい実施形態では、流体不透過性の層は、ＬＤＰＥで形成されたフィルムである。
【００５５】
本発明の手に接触する層は、塗布具の感触及び操作を改善しようとするものである。好ましくは、手に接触する層は、柔らかくて、通常の形成フィルムよりも触って心地よい材料である。好適な材料には、織布材、不織布材、天然又は合成のスポンジ、ポリマーの網状スポンジ、紙基材、ポリマーの多孔性発泡体、コラーゲンシート、ポリマーのスクリムなどが挙げられる。本明細書で使用する好ましい材料は、紙基材及び不織布材であるが、これらが経済的であって様々な材料で容易に入手可能であるからである。これらの材料は、皮膚接触層の議論の中において上でより詳細に説明した。好ましくは、手に接触する層は、合成不織布材で作られる。より好ましくは、手に接触する層は、レーヨン：ポリプロピレンが５０：５０の水流交絡したフィブレラ（Fibrella）３１００  ６２で作られる。
【００５６】
手に接触する層は、追加的に又は代替として、塗布具の取扱いを容易にするために、粘着性又は摩擦増加材料を含んでもよい。摩擦増加要素として使用可能である好適な材料には、ゴム、熱可塑性エラストマー（例えば、シェル・ケミカル社（Shell Chemical Company）により製造されるクラトン（KRATON：登録商標））、エチレンビニルアセテート有するポリオレフィン類又はα−オレフィンコポリマー類、並びにポリオレフィンプラストマー類（例えば、ミシガン州（Midland,MI）のダウ・ケミカル（Dow Chemical）により製造されるアフィニティ（Affinity：登録商標）及びテキサス州（Houston,TX）のエクソンケミカル（Exxon Chemical）により製造されるイグザクト（Exact：登録商標））が挙げられる。
【００５７】
粘着性物質は、手に接触する層の全表面を覆うことができ、又は不連続な場所に配置することができる。一実施形態では、例えば、ウィスコンシン州（Wauwatosa,Wisconsin）のアト・フィンドレィ（Ato Findlay）により製品１９５−３３８の名称で生産されるホットメルトコーティングが、手に接触する層の上にスロットコーティング可能である。コーティングは、窒素及び／又は二酸化炭素などの物理的発泡剤の添加などにより、発泡状態で適用することもできる。好適な材料は、スロットコーティングに加えて、スプレー、グラビア印刷により、又は別々に予め形成された要素を固定する接着剤若しくは別の方法により、１つ以上の線、渦巻き、点の配列、及び／若しくはいずれか他の模様網状組織で、（発泡若しくは非発泡で）適用することができる。
【００５８】
本基材内に含まれる層は、接着剤又は超音波接着など当業者に既知の幾つかの方法により、相互に連結することができる。接着は、周辺シールだけでも、及び／又は他の場所でもよい。好ましくは、基材はまた、塗布具を皮膚の表面にこすりつける時に層が滑るのを防ぐ助けをするために、基材層の間に小さなシール点（直径約１ｍｍ、間隔約１ｃｍ）を有する。
【００５９】
本発明による使い捨て流体塗布具はまた、国際公開第０１／２６５２８号に記載されるような加熱／冷却要素又は当該技術分野で既知の他の加熱／冷却要素である、１つ以上の温度変更要素を含むことができる。好適な液体／液体加熱要素が、国際公開第０２／３０２５１号及び第０２／３０２３７号に開示されている。加熱／冷却要素は、皮膚接触層及び／又は手に接触する層などの塗布具の基材を加熱するために使用してもよく、あるいは流体貯蔵層の中及び／又は流量制御層のような塗布具の他の部分の上若しくは中の製品を加熱するために使用することができる。ある場合には、流体貯蔵層中の製品に与えられた熱が製品を溶かして、流体貯蔵層中で流動可能にすることができる。熱の放出は、化学反応、溶解熱、酸化熱、又は結晶化熱の形態をとってもよいが、これらの型の反応に限定されない。本明細書中で使用するのに好適な冷却要素の例として、水などの好適な触媒と一体になった重クロム酸アンモニウム、硝酸カルシウム、硝酸アンモニウムが含まれるが、これらに限定されず、組み合わせの結果は吸熱系になる。
【００６０】
温度変更要素は、１層の折り曲げられたフィルム又は周辺部の周りをシールされた２層のフィルムにより画定することができ、壊れ易いシールにより分離された少なくとも２つのチャンバーを含む。圧力をかけると、前記壊れ易いシールが解除され、触媒と反応物質が混合され、発熱又は吸熱効果を生じる。更に、温度変更要素は、取り外し可能な層で覆われた、閉止された可撓性の容器からなることができる。取り外し動作を行うと、鉄、塩化ナトリウム、及びバーミキュライトの混合物のような反応物質に酸素が追加され、結果として吸熱反応となる。更に、温度変更要素は、消費者が活性化する破壊性要素（引掻き可能な金属、ガラスの破壊、種結晶の放出）を有する過飽和塩からなってもよく、結果として前記溶液が高温度で結晶化することとなる。好ましい要素においては、この塩は、溶液中に存在する小さなガラス円板を有する水と１：１の比に混合した酢酸ナトリウムであってもよい。この円板を破壊すると、システム平衡は、核生成サイトの追加、及び引き続く約５４℃での結晶化を経由して平衡する。
【００６１】
温度変更要素は、接着剤又はテープなどにより、製品を含有する要素と共に結合されてもよい。温度変更要素はまた、製品を含有するチャンバーと一体にする方法で形成され、最適な伝導熱の移動を妨げることがあるいかなる隙間又は空洞をも取り除くことができる。温度変更要素はまた、完全に又は部分的に製品中に沈められ、その結果として単位長さ当りの全ての温度変更表面をより大きく利用することができるようになる。
【００６２】
図１を参照すると、温度変更要素を含む本発明の実施形態が示されている。この実施形態では、塗布具３０６は４つの材料層からなり、トップ層は、膜を含む流量制御層３３２であり、その膜を通って製品が塗布具から皮膚へ移送される。流量制御層３３２は、塗布具の周辺部の周りで流体不透過性層３０８に永久的にシールされている。
【００６３】
更なる層３０２（やはり不透過性フィルム）が、両方の辺でシールされている。この層は、パンチされた直径約５ｍｍの穴３０４を有する。
【００６４】
不透過性層３０８及び更なる層３０２は、塗布具の周辺部の周りで永久的にシールされている。３つの追加的な永久シールが、領域３１０、３１２、及び３１４内に作られている。これらのシールは、周辺シールと共に、流体不透過性層と更なる層の間、及び周辺シールの内側として画定される領域を、３つのゾーンに分割する。これらのゾーンは、３１６、３１８、及び３２０として識別される。現在の実施形態では、ゾーン３２０は触媒を含有するチャンバーであり、ゾーン３１８は反応物質を含有するチャンバーであり、ゾーン３１６は流体３３０を含有するチャンバー（流体貯蔵層）である。内側永久シールは、壊れ易いシール３２２及び３２４の活性化を助ける応力集中要素を作り出すために、角度が付けてある。
【００６５】
触媒チャンバー３２０が圧縮されると、その結果生じる内部圧の増加が、２つの層の間の壊れ易いシール３２４に圧力をかける。壊れ易いシールは最も弱い剥離強度を有し、また角度付きの応力集中要素のために壊れ易いシール領域内の圧力がより大きいので、壊れ易いシール３２４が破裂して触媒３２８と反応物質３２６とを混合させる。この反応が温度の変化を発生させる。製品チャンバー３１６が圧縮されると、壊れ易いシール３２２が破裂して、加熱されたローションを穴３０４及びチャンバー３００を通過させ、次に流量制御層３３２を通して外へ出す。
【００６６】
図２を参照すると、温度変更要素３６４を含む本発明の更なる実施形態が示されている。この実施形態は、膜を含む流量制御層３３２に隣接する皮膚接触層３５０を備える。皮膚接触層３５０と流量制御層とは、一体に形成することもできる。流量制御層３３２は、周辺部の周りで更なる層３５６に永久的にシールされている。更なる層３５６は、複数のポリマー層を有するフィルムであり、フィルムの両面上にシール可能なポリマー内容物が存在して前記フィルムの熱結合を可能にすること、及びフィルムが不透過性であることが重要である。流量制御膜３３２と更なる層３５６との間に作り出される空洞空間は、流体貯蔵層３３０である。流体不透過性層３５２は、温度変更要素３６４の周辺部３６２の周りで更なる層３５６に永久的にシールされている。流体不透過性層３５２は、両表面上でシール可能でもある。
【００６７】
温度変更要素３６４は、触媒チャンバー３２０及び反応物質チャンバー３１８を含む。これらのチャンバーは、温度変更要素の対向する表面３５６、３６０の間の領域を２分する壊れ易いシール３２４により作り出される。
【００６８】
触媒チャンバー３２０が圧縮されると、結果として生じる内部圧の増加が、２つの層３５６、３６０の間のシールに圧力をかける。壊れ易いシール３２４は結合が最も弱い箇所であるため、該壊れ易いシールが破裂し、触媒３２８と反応物質３２６とを混合させる。この反応が温度の変化を発生させる。
【００６９】
全体構成は、指ミット実施形態を作り出すために追加される、手を入れる紐又はフードを有することができる。
【００７０】
本発明による使い捨て塗布具は、少なくとも０．５ｍｌの流体、好ましくは１０ｍｌ〜２０ｍｌの流体、より好ましくは約１２ｍｌ〜約１５ｍｌの流体を含む。
【００７１】
本発明による流体は、１つ又は複数の化粧及び／又は薬剤活性物質を含んでもよい。活性薬剤の非限定的な例として、ビタミン化合物、皮膚処置剤、洗浄界面活性剤、抗ざ瘡活性物質、抗しわ活性物質、坑皮膚萎縮活性物質、抗炎症活性物質、局所麻酔薬、着色剤、人工日焼け活性物質及び促進剤、抗菌活性物質、抗真菌活性物質、抗ウイルス剤、酵素、日焼け止め活性物質、酸化防止剤、及び／又は皮膚剥脱剤がある。その流体はまた、一般に、活性物質及びいずれかの存在粒子に対して希釈液、分散剤、溶媒などとして作用する化粧品上及び／又は製薬上許容可能なビヒクルを含み、これにより確実に、選択した対象の上に適切な濃度で均一に適用され分配されることができる。
好ましくは、その流体は、皮膚処置剤及び／又は着色剤を含むローションである。
【００７２】
流体処方のレオロジーは、薄いローションからゲル／クリームを中間にリップスティックのようなワックス状固体まで、広い範囲にわたって変更させることができる。処方の型もまた変化させることができる（例えば、ゲル、水中油型（ｏ／ｗ）エマルジョン、シリコーン中水型（ｗ／Ｓｉ）エマルジョン）。
【００７３】
その流体中に含まれ得るビタミンには、レチノイド、ビタミンＢ3化合物、ビタミンＣ化合物、ビタミンＥ化合物、及びこれらの混合物が挙げられる。
【００７４】
本明細書で使用する「ビタミンＢ3化合物」は、次の構造式、
【００７５】
【化１】
2004532776.tif 000003
（式中、Ｒは−ＣＯＮＨ2（即ち、ニコチン酸アミド）、−ＣＯＯＨ（即ち、ニコチン酸）、又は−ＣＨ2ＯＨ（即ち、ニコチニルアルコール）、これらの誘導体、及び前出のいずれかの塩である）を有する化合物を意味する。
【００７６】
前出のビタミンＢ3化合物の代表的な誘導体としては、ニコチン酸の非血管拡張性エステル、ニコチニルアミノ酸、カルボン酸のニコチニルアルコールエステル、ニコチン酸Ｎ−オキシド、及びニコチン酸アミドＮ−オキシドを含む、ニコチン酸エステルが挙げられる。本明細書で使用する「非血管拡張性」とは、対象の組成物で、皮膚に塗布した後エステルが通常は目に見える潮紅反応を起こさない（そのような化合物が肉眼では見えない血管拡張を引き起こす可能性はあるが、一般母集団の大多数が目に見える潮紅反応は経験しない、即ち上記エステルが非引赤薬である）ことを意味する。ニコチン酸の非血管拡張性のエステル類としては、ニコチン酸トコフェロール及びヘキサニコチン酸イノシトールが挙げられるが、ニコチン酸トコフェロールが好ましい。
好ましいビタミンＢ3化合物は、ニコチン酸アミド及びニコチン酸トコフェロールである。ニコチン酸アミドが、より好ましい。
【００７７】
本明細書で使用するビタミンＣ化合物という用語には、アスコルビン酸及びその塩、脂肪酸のアスコルビン酸エステル、並びにアスコルビン酸リン酸マグネシウムなどのアスコルビン酸誘導体が挙げられる。酸化防止剤／ラジカルスカベンジャーの議論については、以下で参照する。
【００７８】
本明細書で使用する「レチノイド」は、ビタミンＡの全ての天然及び／又は合成類縁体、又は皮膚中でビタミンＡの生物学的活性を保有するレチノール様の化合物、並びにこれらの化合物の幾何異性体及び立体異性体を含む。レチノイドは、好ましくはレチノール、レチノールエステル（例えば、パルミチン酸レチニル、酢酸レチニル、プロピオン酸レチニル等のレチノールのＣ2〜Ｃ22アルキルエステル）、レチナール、及び／又はレチノイン酸（全トランスレチノイン酸及び／又は１３−シス−レチノイン酸を包含する）若しくはトコフェリルレチノエートのようなそのエステルである。好ましくはレチノイン酸以外のレチノイドを使用する。
【００７９】
本明細書で使用するビタミンＥ化合物という用語は、トコフェロール及びそのエステルを含む。酸化防止剤／ラジカルスカベンジャーの議論については、以下で参照する。
【００８０】
本流体はまた、抗炎症剤を含んでもよい。これらは、本発明の皮膚の外観利益を強化するものであり、例えば、そのような作用剤は、より均一な及び容認可能な皮膚の調子又は色に効果がある。そのような薬剤は効力が様々に異なるために、組成物中で使用される抗炎症剤の正確な量は、利用する特定の抗炎症剤によって決まる。
【００８１】
本明細書で有用な抗炎症剤としては、ヒドロコルチゾンのようなステロイド；イブプロフェンのような非ステロイド性抗炎症薬（ＮＳＡＩＤＳ）；パンテノール及びエーテル、及びこれらのエステル誘導体、例えばパンテノールエチルエーテル、パンテニルトリアセテート；パントテン酸及び塩、及びこれらのエステル誘導体、特にパントテン酸カルシウム；アロエベラ、ビサボロール、アラントイン、及びグリチルレチン酸、グリチルリチン酸、及びこれらの誘導体、例えばグリチルリチン酸アンモニウムのような塩及びステアリルグリチルレチン酸エステルのようなエステルを含むカンゾウ（植物属／種マメ科ヨウカンゾウ）族の化合物が挙げられる。本発明で特に好ましいのは、パンテノール、パントテン酸、及びこれらのエーテル、エステル、又は塩誘導体、並びにこれらの混合物であり、好適な濃度は約０．１〜約５％、好ましくは約０．５〜約３％である。パンテノールが特に好ましい。パンテノールは、追加として、湿潤性などの短期的な利益を提供する。
【００８２】
流体に含むことができる好適な日焼け止め剤は、有機でも無機でもよい。特に好適な有機日焼け止め剤として、ブチルメトキシ−ジベンゾイルメタン、２−エチルヘキシル−ｐ−メトキシケイ皮酸塩、フェニルベンゾイミダゾールスルホン酸、及びオクトクリレンが挙げられる。無機日焼け止め剤としては、酸化亜鉛及び二酸化チタンが挙げられる。
【００８３】
本流体は、痩身剤と同様にセルライト制御を提供するのに有用な活性物質を含むことができる。これらの作用剤の中には、ホスホジエステラーゼ阻害物質（例えば、テオフィリン、カフェイン、テオブロミンなどのキサンチン誘導体類、又はアミノフィリンのようなこれらの塩）と、セイヨウキズタ（ヘデラヘリックス）、ウサギギク（アルニカモンタナ）、ローズマリー（ローズマリー局方薬Ｎ）、マリーゴールド（キンセンカ局方薬）、セージ（サルビア局方薬Ｎ）、ヤクヨウニンジン（朝鮮人参）、セントジョーンズワート（セイヨウオトギリソウ）、ルスカス（なぎいかだ）、シモツケ（セイヨウナツユキソウ）、及びオルトシフォン（クミスクチン）の抽出物を主として挙げられるある種の油溶性植物抽出物と同様にこれら植物抽出物の混合物がある。
【００８４】
本流体は、皮膚処置剤を含んでもよい。そのような皮膚活性物質の非限定的な例として、サリチル酸のようなヒドロキシ酸；双性イオン性界面活性剤のような剥離剤；２−エチルヘキシル−ｐ−メトキシケイ皮酸塩、４，４’−ｔ−ブチルメトキシジベンゾイルメタン、オクトクリレン、フェニルベンゾイミダゾールスルホン酸などの日焼け止め剤類；酸化亜鉛及び二酸化チタンなどの日焼け防止剤類；抗炎症剤類；ヒドロコルチゾン、メチルプレドニゾロン、デキサメタゾン、トリアムシノロンアセトコニド（acetconide）、及びデソクサメタゾン（desoxametasone）などの副腎皮質ホルモン類；樟脳、メンソール、オートミール（コロイド）、プラモキシン、ベンジルアルコール、フェノール、及びレゾルシノールなどのかゆみ止め薬類（antipruitics）；グリコール酸のようなヒドロキシ酸類；ピルビン酸のようなケト酸類；Ｎ−アセチル−Ｌ−システイン及びその誘導体類；ベンゾフラン誘導体類；皮膚防護剤類が挙げられる。上記皮膚活性物質のいずれの混合物も使用することができる。好ましい皮膚活性物質には、サリチル酸のようなヒドロキシ酸類、日焼け止め剤、酸化防止剤類、及びこれらの混合物が挙げられる。
【００８５】
本流体はまた、コウジ酸、アルブチン、アスコルビン酸、及びこれらの誘導体類、例えばアスコルビン酸リン酸マグネシウムなどの、皮膚ライトニング剤を含んでもよい。本明細書で使用するのに好適な更なる皮膚ライトニング剤として、国際公開第９５／３４２８０号及び第９５／２３７８０号に記載されるものも挙げられる。
【００８６】
本流体はまた、ジヒドロキシアセトンのような皮膚色改良剤を含んでもよい。これらの組成物は、エリトルロースのような砂糖分子も含むことができる。
ベンゾカイン、ジクロニン、リドカイン、及びテトラカインなどの麻酔剤類を本流体内に含んでもよい。
【００８７】
本流体は追加的に、表皮を剥脱する、例えば乾燥皮膚フレークの除去を促進するのに、及び／又は皮膚活性剤の活性を強化するのに十分に効果的な量で、酵素を含んでもよい。本明細書で使用するのに好適な酵素には、プロテアーゼ類及び（米国特許第６，２８４，２４６Ｂ１号に記載されたリパーゼ類のような）リパーゼ類が挙げられるが、これらに限定されない。
【００８８】
プロテアーゼ類は、国際生化学・分子生物学連合（IUBMB）の勧告（１９９２年）により、酵素分類番号（Enzyme Classification number）Ｅ．Ｃ．３．４（カルボン酸エステル加水分解酵素）に分類されている。本明細書で使用するのに好適なプロテアーゼは、国際公開第９５／３００１０号、第９５／３００１１号、及び第９５／２９９７９号にも記載されている。本明細書で使用するのに好ましいプロテアーゼとして、サブチリシン、キモトリプシン、及びエラスターゼプロテアーゼ酵素、並びにこれらの変異型類、より好ましくはサブチリシン類、サブチリシン類に相同性（「サブチリシンのような」）を有するプロテアーゼ類、及びいずれかの変異型が挙げられるが、これらに限定されない。サブチリシン酵素は、微生物である、バチルス・アルカロフィリウス、バチルス・アミロリケファシエンス、バチルス・アミロサッカリクス、バチルス・リケニフォルミス、バチルス・レンタス、及びバチルス・サブチルスによって天然に産生される。幾つかのサブチリシンのアミノ酸配列は既知であり、例えば、１９８９年７月１３日に発行された国際公開第８９／０６２７９号（ノボ・ノルディスク（Novo Nordisk））に提示されている。本明細書で使用するのに好適なサブチリシン類として、サブチリシンＢＰＮ’、サブチリシンカールスバーグ、サブチリシンＤＹ、サブチリシン１４７、サブチリシン１６８、サブチリシン３０９、及びサブチリシンアミロサッカリタス（amylosaccaritus）、好ましくはサブチリシンＢＰＮ’が挙げられるが、これらに限定されない。また好適なのは、テルミターゼ及びアクアリシンである。
【００８９】
本流体は、多種多様な皮膚軟化剤を含んでもよい。サガリン（Sagarin）の「化粧品、化学及び技術（Cosmetics,Science and Technology）」、第２版、第１巻、３２〜４３ページ（１９７２年）には、皮膚軟化剤として好適な多くの物質の例が含まれる。皮膚軟化剤の実証例としては以下のものが挙げられる：
ｉ）ドデカン、スクアラン、コレステロール、水素添加ポリイソブチレン、イソヘキサデカンのような約７〜約４０の炭素原子を有する直鎖及び分枝鎖炭化水素、及びＣ7〜Ｃ40の分枝状炭化水素であるＣ7〜Ｃ40イソパラフィン類。
ｉｉ）Ｃ1〜Ｃ30カルボン酸及びＣ2〜Ｃ30ジカルボン酸のＣ1〜Ｃ30アルコールエステル、例えば、イソノニルイソノナノエート、ミリスチン酸イソプロピル、ミリスチルプロピオネート、イソプロピルステアレート、ベヘニルベヘネート、ジオクチルマレエート、アジピン酸ジイソプロピル、及びジイソプロピルジリノレート。
ｉｉｉ）Ｃ1〜Ｃ30のカルボン酸のモノ、ジ、及びトリグリセリド、並びにこれらのエトキシ化誘導体、例えばカプリル酸／カプリン酸トリグリセリド、ＰＥＧ−６カプリル酸／カプリン酸トリグリセリド。
ｉｖ）Ｃ1〜Ｃ30カルボン酸のアルキレングリコールエステル、例えばエチレングリコールのモノ及びジエステル、並びにＣ1〜Ｃ30カルボン酸のプロピレングリコールモノ及びジエステル、例えばエチレングリコールジステアレート。
ｖ）糖類及び関連物質のＣ1〜Ｃ30のモノ及びポリエステル。これらのエステルは、糖又はポリオール部分及び１つ以上のカルボン酸部分に由来する。構成要素である酸及び糖によっては、これらのエステルは、室温で液体又は固体の形態をとることができる。例としては、グルコーステトラオレエート、オレイン酸のガラクトーステトラエステル、ソルビトールテトラオレエート、スクローステトラオレエート、スクロースペンタオレエート、スクロースヘキサオレエート、スクロースヘプタオレエート、スクロースオクタオレエート、カルボン酸エステル部分が１：２のモル比のパルミトオレエート及びアラキデートであるソルビトールヘキサエステル、並びにエステル化カルボン酸部分が１：３：４のモル比のラウレート、リノレート、及びベヘネートであるスクロースのオクタエステルが挙げられる。その他の物質としては、スクロースの綿実油又は大豆油脂肪酸エステルが挙げられる。このような物質の他の例は、国際公開第９６／１６６３６号に記載されている。特に好ましい材料は、ＩＮＣＩ名スクロースポリコットンシーデートとして既知である。
ｖｉ）オルガノポリシロキサン油。オルガノポリシロキサン油は揮発性、非揮発性、又は揮発性及び非揮発性シリコーンの混合物であってもよい。この文脈中で使用されている「非揮発性」という用語は、周囲条件で液状であり、引火点が約１００℃以上（１気圧の下で）であるようなシリコーンのことをいう。この文脈中で使用されている「揮発性」という用語は、全ての他のシリコーン油のことをいう。好適なオルガノポリシロキサンは、幅広い揮発性及び粘度を有する多種多様なシリコーンから選択することができる。非揮発性ポリシロキサンが好ましい。好適なシリコーンが、米国特許第５，０６９，８９７号に開示されている。本明細書で使用するのに好ましいのは、ポリアルキルシロキサン、アルキル基で置換したジメチコーン、ジメチコノール、ポリアルキルアリールシロキサン、及びこれらの混合物からなる群から選択される、オルガノポリシロキサンである。本明細書で用いるのにより好ましいのは、ポリアルキルシロキサン及びシクロメチコーンである。ポリアルキルシロキサンの中で好ましいのは、ジメチコーンである。
ｖｉｉ）植物油及び水素添加植物油。植物油及び水素添加植物油の例としては、ベニバナ油、ヒマシ油、ココヤシ油、綿実油、メンハーデン油、パーム核油、パーム油、落花生油、大豆油、菜種油、亜麻仁油、糠油、松根油、ゴマ油、ヒマワリ種子油、前出の物質の部分的及び全水素添加油、及びこれらの混合物が挙げられる。
ｖｉｉｉ）動物油脂、例えば、アセチル化ラノリン及びイソプロピルラノレートのようなタラ肝油、ラノリン、及びこれらの誘導体。ラノリン油が好ましい。
ｉｘ）やはり有用なものとして、ポリプロピレングリコールのＣ4〜Ｃ20アルキルエーテル、ポリプロピレングリコールのＣ1〜Ｃ20カルボン酸エステル、及びジ−Ｃ8〜Ｃ30アルキルエーテルがあり、例としてＰＰＧ−１４ブチルエーテル、ＰＰＧ−１５ステアリルエーテル、ジオクチルエーテル、ドデシルオクチルエーテル、及びこれらの混合物が挙げられる。
【００９０】
本流体はまた、保湿剤、特に多価アルコールを含むことができる。典型的な多価アルコールとしては、ポリアルキレングリコール、更に好ましくはアルキレンポリオールとその誘導体が挙げられ、プロピレングリコール、ジプロピレングリコール、ポリプロピレングリコール、ポリエチレングリコール、及びこれらの誘導体、ソルビトール、ヒドロキシプロピルソルビトール、エリスリトール、スレイトール、ペンタエリトリトール、キシリトール、グルシトール、マンニトール、ヘキシレングリコール、ブチレングリコール（例えば、１，３−ブチレングリコール）、ヘキサントリオール（例えば、１，２，６−ヘキサントリオール）、グリセリン、エトキシル化グリセリン、及びプロポキシル化グリセリンが含まれる。
【００９１】
使用することができる他の保湿剤として、ナトリウム−２−ピロリドン−５−カルボキシレート、グアニジン；グリコール酸及びグリコール酸塩（例えば、アンモニウム及び第四級アルキルアンモニウム）；乳酸及び乳酸塩（例えば、アンモニウム及び第四級アルキルアンモニウム）；様々な形態のいずれかのアロエベラ（例えば、アロエベラジェル）；ヒアルロン酸及びその誘導体（例えば、ヒアルロン酸ナトリウムのような塩誘導体）；ラクトアミドモノエタノールアミン；アセトアミドモノエタノールアミン；尿素；パンテノール；ピログルタミン酸ナトリウム（ＮａＰＣＡ）、水溶性グリセリルポリアクリル（メタクリル）酸塩潤滑剤（ヒスパゲル（Hispagel）（登録商標）など）、及びこれらの混合物が挙げられる。
【００９２】
本流体はまた、イソドデカン、イソヘキサデカン、及びイソエイコサンのような、重量平均分子量約１００〜約１０００を有する分枝鎖炭化水素を含む、高展性油を含んでもよい。好ましくはイソヘキサデカンである。
【００９３】
有利なことには、これらは、式Ｉの液体エステルの皮膚軟化剤類と混合されてもよい。
【００９４】
【化２】
2004532776.tif 000004
式中、Ｒ1はＨ又はＣＨ3から選択され、Ｒ2、Ｒ3、Ｒ4は独立してＣ1〜Ｃ20直鎖又は分枝鎖アルキルから選択され、ｘは１〜２０の整数である。
【００９５】
上式Ｉの好適なエステル皮膚軟化剤物質には、メチルイソステアレート、イソステアリン酸イソプロピル、イソステアリルネオペンタノエート、イソノニルイソノナノエート、イソデシルオクタノエート、イソデシルイソノナノエート、トリデシルイソノナノエート、ミリスチルオクタノエート、オクチルペラルゴネート、オクチルイソノナノエート、ミリスチルミリステート、ミリスチルネオペンタノエート、イソステアリルネオペンタノエート、ミリスチルオクタノエート、ミリスチルプロピオネート、ミリスチン酸イソプロピル、及びこれらの混合物が挙げられる。
【００９６】
イソヘキサデカン及びイソステアリン酸イソプロピルを含む高展性油の混合物が特に好ましい。
【００９７】
本流体はまた、分子量約２６０〜約１０００を有するポリ（α−オレフィン）から選択される粘着防止剤、並びにワセリン、セチルリシノレエート、及びラノリンから選択される閉塞剤を含んでもよい。
好ましい閉塞性粘着防止剤は、ワセリンである。粘着防止剤として最も好ましいのは、ポリデセンである。
【００９８】
本流体組成物は、屈折率が約１．３〜約１．７である有機粒子状物質を含んでもよく、粒子状物質は、組成物中に分散されるものであって、約５〜約３０μｍ、好ましくは約８〜約１５μｍの体積平均粒度を有する。本明細書の有機粒子は、粘着性を相殺するのにも有用であり得る。
【００９９】
体積平均粒度は、粒子状物質がニート形態、即ち本質的に純粋であり、本発明のキャリアと組み合わされる粉末形態で測定する。しかし粒度を測定する特定の方法では、精製油のような不活性キャリアに分散した粒子状物質が、粒度分布を測定するために必要なこともある。粒度は、粒度分布測定（コールターカウンター）装置又はＡＳＴＭ名称Ｅ２０−８５「光学顕微鏡による０．２〜７５μｍの範囲の粒子状物質の粒度分析のための標準実施法（Standard Practice for Particle Size Analysis of Particulate Substances in the Range of 0.2 to 75 Micrometers by Optical Microscopy）」（ＡＳＴＭ第１４．０２巻、１９９３年）を用いるような、当該技術分野において既知のいずれかの好適な方法により測定することができる。
【０１００】
屈折率は、従来の方法で測定することができる。例えば、本発明に適用可能な、屈折率を決定するための方法は、Ｊ．Ａ．ディーン（J.A.Dean）、Ｅｄ．「ランゲの化学ハンドブック（Handbook of Chemistry）」第１４版、マクグローヒル、ニューヨーク、１９９２年、第９節、屈折率測定に記載されている。屈折率は、好ましくは約１．３５〜約１．６の範囲であり、この範囲は皮膚の屈折率とほぼ一致している。
【０１０１】
好ましい微粒子は、自由に流動できる、多孔質の、特に球形粒子の物質である。好適な有機粒子状物質には、上で参照したポリメチルシルセスキオキサン、ポリアミド、ポリセン、ポリアクリロニトリル、ポリアクリル酸、ポリメタクリル酸、ポリスチレン、ポリテトラフルオロエチレン（ＰＴＦＥ）、及びポリ（塩化ビニリデン）から製造されるものが含まれる。前述の材料のモノマー由来のコポリマーも、使用することができる。好ましいのはポリアミド、特にナイロンである。
【０１０２】
本流体はまた、約１２０ｎｍ〜約１６０ｎｍ、又はその整数倍の厚さのＴｉＯ2層を有する、緑色の血小板型の干渉顔料物質を含んでもよい。好ましくは、干渉顔料物質はＴｉＯ2をコーティングされた血小板型雲母を含む。反射光の色は層の厚さに応じて様々に変化する。本発明に使用する干渉顔料物質は、厚さが約１２０ｎｍ〜約１６０ｎｍ、又はその整数倍であるＴｉＯ2層を有する少なくともある割合の顔料物質を含み、皮膚に適用された時、顔料小板からの光反射の結果、顔料自体が全体として緑色の外観となる。理論に縛られることは意図しないが、低レベルの緑色干渉顔料を含むと、顔料自体が不自然な緑色の外観を与えることなく、皮膚の赤みの範囲を相殺するのに役立つと考えられている。この方法で、干渉顔料が、全体として均一な皮膚の色調を提供するのに役立つ。好適な販売例として、メルク（Merck）から商品名ティミロン（Timiron：登録商標）、特にティミロン（登録商標）シルクグリーンで供給されるもの、又はマール（Mearl）から商品名フラメンコ（Flamenco：登録商標）、特にフラメンコ（登録商標）サティン（Satin）グリーンで供給されるものがある。
【０１０３】
本流体はまた、酸化チタン又は酸化亜鉛などの無機つや消し剤を含んでもよく、これらも本発明の流体組成中で有用である。存在する場合、つや消し剤は、望ましくない皮膚白色化又は不自然な「不透明」な外観を避けるために、３％未満の濃度で使用する。本発明の使用に好ましいのは、二酸化チタン及び特にアナターゼ型二酸化チタンである。
【０１０４】
アナターゼ型酸化チタンは、密度が約３．９０ｇ／ｃｍ3であり、正方晶系立方最密構造を有する。アナターゼ型酸化チタンの屈折率は２．５５である。アナターゼ型二酸化チタンは、コボ・プロダクツ社（Kobo Products Inc.）から商品名コボ（Kobo）ＢＴＤ１１Ｓ２で、ニュージャージー州（South Plainfield,New Jersey,USA）のホイッタカー、クラーク、ダニエル（Whittaker、Clark、Daniels）から商品名ＴｉＯ2９７２９で、ニュージャージー州（South Plainfield,New Jersey,USA）のカルドレ社（Cardre Inc.）から商品名カルド（Carde）７０４２９で入手可能である。
【０１０５】
本流体がエマルジョンである場合、本流体は、一般的に連続相の中に不連続相を分散する及び懸濁するのを助けるために、乳化剤及び／又は界面活性剤を含有してもよい。界面活性剤はまた、製品が皮膚の洗浄を目的とする場合に有用なことがある。選択した薬剤が、組成物中の必須構成成分と化学的及び物理的に適合性があり、所望の特性を与えるものであれば、既知の又は従来の界面活性剤を本組成物中で使用することができる。好適な界面活性剤には、当該技術分野において既知である、例えばマカッチャンの洗剤及び乳化剤（Detergents and Emulsifiers）北米版（１９８６年）、アルレッド・パブリッシング・コーポレーション刊からのもののような、非イオン性界面活性剤、陰イオン性界面活性剤、両性界面活性剤、及び双性イオン性界面活性剤が挙げられる。
【０１０６】
本発明の好ましいエマルションには、シリコーン含有の乳化剤又は界面活性剤が挙げられる。多種多様なシリコーン乳化剤が、本明細書で有用である。これらのシリコーン乳化剤は、通常は有機的に修飾したオルガノポリシロキサン類であり、当業者にはシリコーン界面活性剤としても既知である。有用なシリコーン乳化剤には、ジメチコーンコポリオール類が含まれる。これらの材料は、ポリエチレンオキシド鎖、ポリプロピレンオキシド鎖、これらの鎖の混合物などのポリエーテル側鎖、並びにエチレンオキシド及びプロピレンオキシドの両方に由来する部分を含有する、ポリエーテル鎖を含むように修飾されたポリジメチルシロキサン類である。その他の例として、アルキル修飾ジメチコーンコポリオール類、即ちＣ2〜Ｃ30ペンダント側鎖を含有する化合物が挙げられる。更に他の有用なジメチコーンコポリオール類としては、様々な陽イオン性、陰イオン性、両性、及び双性イオン性のペンダント部分を有する材料が挙げられる。
【０１０７】
本流体は、カルボン酸ポリマー、架橋ポリアクリレート、ポリアクリルアミド、キサンタンガム、及びこれらの混合物から選択され、より好ましくはポリアクリルアミドポリマー、キサンタンガム、及びこれらの混合物から選択される、増粘剤を含んでもよい。好ましいポリアクリルアミドは、鉱物油などの水と混和しない溶媒に予め分散されたものであって、ポリアクリルアミドの水分散の容易化を助ける界面活性剤（ＨＬＢ約７〜約１０）を含有する。本明細書で使用するのに最も好ましいのは、ＣＴＦＡ指定の非イオン性ポリマーであり、セピック社（Seppic Corporation）より商品名セピゲル（Sepigel）３０５で入手可能な、ポリアクリルアミド、イソパラフィン、及びラウレス７である。
【０１０８】
他の好適な増粘剤として、セルロース及び誘導体類、アカシア、寒天、アルギン、アルギン酸、アルギン酸アンモニウム、アミロペクチン、アルギン酸カルシウム、カラゲナンカルシウム、カルニチン、カラゲナン、デキストリン、ゼラチン、ゲランゴム、グアーゴム、グアーヒドロキシプロピル塩化トリモニウム、ヘクトライト、ヒアルロン酸、水酸化ケイ素、ヒドロキシプロピルキトサン、ヒドロキシプロピルグアー、カラヤゴム、ケルプ、イナゴマメゴム、納豆ゴム、アルギン酸カリウム、カラゲナンカリウム、プロピレングリコールアルギネート、スクレロチウムゴム、カルボキシメチルデキストランナトリウム、カラゲナンナトリウム、トラガカントゴム、キサンタンゴム、及びこれらの混合物などが挙げられる。アクリル酸／アクリル酸エチルコポリマー類、及びＢ．Ｆ．グッドリッチ社（B.F.Goodrich Company）によりカルボポールレジン（Carbopol resins）の商標で販売されているカルボキシビニルポリマー類も有用である。好適なカルボポールレジンが、国際公開第９８／２２０８５号に記載されている。
【０１０９】
本流体は、酸化防止剤／ラジカルスカベンジャーを含んでもよく、これらは、角質層内で鱗屑状の剥がれ又はテクスチャ変化の増加を引き起こす恐れのあるＵＶ照射に対する保護、及び皮膚の損傷を引き起こす恐れのある他の環境化学物質に対する保護を提供することができる。
【０１１０】
アスコルビン酸（ビタミンＣ）及びその塩、脂肪酸のアスコルビルエステル、アスコルビン酸誘導体（例えば、アスコルビルリン酸マグネシウム）、β−カロチン、トコフェロール（ビタミンＥ）、ソルビン酸トコフェロール、酢酸トコフェロール、その他のトコフェロールのエステル、ブチル化ヒドロキシ安息香酸及びその塩、没食子酸及びそのアルキルエステル、特に没食子酸プロピル、尿酸及びその塩及びアルキルエステル、ソルビン酸及びその塩、アミン（例えば、Ｎ，Ｎ−ジエチルヒドロキシルアミン、アミノ−グアニジン）、スルフヒドリル化合物（例えば、グルタチオン）、ジヒドロキシフマル酸及びその塩、バイオフラボノイド、リジン、メチオニン、プロリン、スーパーオキシドジスムターゼ、シリマリン、茶抽出物、ブドウの皮／種の抽出物、メラニン、及びローズマリー抽出物のような酸化防止剤／ラジカルスカベンジャーを使用してもよい。好ましい酸化防止剤／ラジカルスカベンジャーは、酢酸トコフェロール、ソルビン酸トコフェロール、及びその他のトコフェロールエステルから選択され、より好ましくは酢酸トコフェロールである。
【０１１１】
本流体はまた、キレート剤を含んでもよく、これは、過剰の鱗屑状の剥がれ又はテクスチャ変化を引き起こす恐れのあるＵＶ照射に対する保護、及び皮膚の損傷を引き起こす恐れのある他の環境化学物質に対する保護を提供するのに特に有用である。本明細書で有用な代表的なキレート剤が、米国特許第５，４８７，８８４号に開示されている。主題の発明の組成物に有用な好ましいキレート剤は、エチレンジアミン四酢酸（ＥＤＴＡ）、フリルジオキシム及びその誘導体である。
【０１１２】
皮膚の外観を改善するために、剥離剤も本流体に添加してもよい。多様な剥離剤が当該技術分野において既知であり、本明細書で使用するのに好適であるが、これらとして、サリチル酸、グリコール酸、乳酸、５−オクタノイルサリチル酸、ヒドロキシオクタン酸、ヒドロキシカプリル酸、及びラノリン脂肪酸のような有機ヒドロキシ酸が挙げられる。サリチル酸が好ましい。
【０１１３】
本流体はまた、視覚的な利益をもたらすことができる、顔料及び他の微粒子を含んでもよい。本発明の組成物で使用するのに好適な顔料は、有機物及び／又は無機物とすることができる。顔料という用語には、艶消し仕上げ剤などの色や光沢を低く抑える材料、及び光散乱剤も含まれる。好適な顔料の例として、酸化鉄類、アシルグルタメート酸化鉄類、二酸化チタン、ウルトラマリンブルー、Ｄ＆Ｃ染料、カルミン、及びこれらの混合物が挙げられる。組成物のタイプに応じて、通常は顔料の混合物が使用される。本明細書で有用な他の微粒子として、オルガゾル（Orgasol：登録商標）、ナイロンポリ（Nylon Poly：登録商標）、ドライフロープラス（Dry-Flo Plus：登録商標）、ポリメチルシルセスキオキサン、及びジメチコーン／ビニルジメチコーン架橋ポリマーが挙げられる。
【０１１４】
本流体はまた、架橋したオルガノポリシロキサンエラストマーを含んでもよい。架橋したオルガノポリシロキサンエラストマー類は、部分的又は完全に架橋されることができ、乳化エラストマー及び非乳化エラストマーからなる群から選択されることができる。乳化エラストマーは、ケイ素中水エラストマーの処方に不可欠である。好ましい架橋したオルガノポリシロキサンエラストマー類は、ジメチコーン／ビニルジメチコーンコポリマー類、並びにポリオキシエチレン化した及び／又はポリオキシプロピレン化した鎖を含有するオルガノポリシロキサン類から選択される。ジメチコーン／ビニルジメチコーンコポリマー類が、ダウ・コーニング（Dow Corning）（ＤＣ９０４０及びＤＣ９０４１）、ゼネラル・エレクトリック（General Electric）（ＳＦＥ８３９）、信越（Shin-Etsu）（ＫＳＧ−１５、１６、１８（ジメチコーン／フェニルビニルジメチコーンクロスポリマー］）、及びグラント・インダストリーズ（Grant Industries）（グランシル（Gransil：商標）系列の物質）を含む種々の供給者から供給され、ラウリルジメチコーン／ビニルジメチコーンクロスポリマー類（例えば、ＫＳＧ−３１、ＫＳＧ−３２、ＫＳＧ−４１、ＫＳＧ−４２、ＫＳＧ−４３、及びＫＳＧ−４４）が、信越から供給される。ポリオキシエチレン化した及び／又はポリオキシプロピレン化した鎖を含有するオルガノポリシロキサンが、信越（Shin-Etsu）よりＫＳＧ２１、ＫＳＧ３１、ＫＳＧ３１ｘ、及びＫＳＧ３２の名で、又はダウ・コーニング（Dow Corning）よりＤＣ  ９０１１の名で販売されている。
【０１１５】
本流体に含まれる化粧上又は製薬上許容可能なビヒクルは、本明細書に記述する必須成分と物理的にも化学的にも適合すべきであり、また本発明の組成物に関連する安定性、有効性、又は他の使用利益を過度に害すべきでない。
【０１１６】
好ましいビヒクルは、皮膚科学的に許容可能な親水性の希釈液を含有する。好適な親水性希釈液として、水、Ｃ1〜Ｃ4一価アルコール、並びにプロピレングリコール、ポリエチレングリコール（例えば、分子量２００〜６００）、ポリプロピレングリコール（例えば、分子量４２５〜２０２５）、グリセロール、ブチレングリコール、１，２，４−ブタントリオール、ソルビトールエステル、１，２，６−ヘキサントリオール、エタノール、イソプロパノール、ソルビトールエステル、エトキシ化エーテル、プロポキシル化エーテルを含む低分子量グリコール及びポリオールなどの有機親水性希釈液、並びにこれらの組み合わせが挙げられる。希釈液は、好ましくは液体である。水は、特に好ましい希釈液である。
【０１１７】
好ましいビヒクルは、親水性の相、特に水の相、及び疎水性の相、例えば液体、油、又は油性物質を含むエマルジョンである。当業者には周知のように、親水性相が疎水性相に分散して、又はその逆をなして、組成物成分に応じてそれぞれ親水性又は疎水性の分散した連続相を形成する。エマルジョンはまた、Ｇ．Ｍ．エクレストン（G.M.Eccleston）の「可動及び半固体の水中油型エマルジョンへのエマルジョン安定性理論の適用（Application of Emulsion Stability Theories to Mobile and Semisolid O/W Emulsions）」化粧品及び洗面化粧品（Cosmetics & Toiletries）第１０１巻、１９９６年１１月、７３〜９２ページに記載されるような、ゲル網状組織を含んでもよい。本発明に好ましい組成物は、水中油型エマルションである。
【０１１８】
好ましい組成物は、約５，０００〜約２００，０００ｍＰａ・ｓ（センチポアズ）の見かけ粘度を有する。見かけ粘度は、ブルックフィールド（Brookfield）ＤＶＩＩ  ＲＶ粘度計、スピンドルＴＤ、５ｒｐｍ、又はそれと同等の粘度計を使用して測定することができる。粘度は、組成物の調製に続いて安定させた後に、一般的には組成物を調整してから２５℃＋／−１℃及び周囲圧の条件下で少なくとも２４時間後に、その組成物に関して測定する。見かけ粘度は、温度２５℃＋／−１℃においてスピンドル回転３０秒後の組成物で測定する。
【０１１９】
本発明の組成物は、通常はｐＨ９．５以下を有するように、一般には約４．５〜約９の範囲のｐＨ、より好ましくは約５〜約８．５のｐＨを有するように処方される。幾つかの組成物は、特にサリチル酸のような追加の活性物質を含む組成物は、追加の活性物質が完全に有効であるように、より低いｐＨを必要とする。これらの組成物は、通常は約２．５〜約５、より好ましくは約２．７〜約４のｐＨを有するように処方される。
【０１２０】
本発明の流体組成物は、一般に、局所用の組成物を製造するのに当該技術分野において既知である従来の方法により調製される。かかる方法は、典型的には、加熱、冷却、真空適用等の有り又は無しで、各成分を１つ以上の工程で混合して比較的均一な状態にすることを含む。
【０１２１】
（水流動速度試験）
上で言及した水流動速度試験は、基材の水透過性を測定する。
水流動速度を測定するためには、基材をテープ又はゴムバンドで、出口内径２４ｍｍ、頂部内径１３５ｍｍ、高さ１４５ｍｍ、首長さ２０ｍｍ、及び全容量約６００ｍｌの寸法を有するプラスチック漏斗の底に取り付ける。基材が完全に平らでありそれ以上は平らになり得ないことを確実にするために、基材に十分な張力をかける。水圧で逆流が生じないように、テープ又はゴムバンドを漏斗の出口のできるだけ近くに取り付ける。
【０１２２】
次に、絞った漏斗をシンクの上のリングスタンドの中に置く。室温で水６００ｍｌを目盛り付きシリンダーで計る。続いて、一方の手で漏斗の出口を塞いで試験基材を押しながら、漏斗に水をすばやく注ぎ入れる。一旦漏斗が完全に満たされたら、手を外して、漏斗の水が空になる排水時間を０．１秒単位で測定する。漏斗の首と傾斜部分の接合部に水が達した時に、計測を止める。この方法を試験基材当たり５回繰り返し、各基材について測定値の平均をとる。排水時間が長い基材（＞１０分）は、満水にした漏斗で、設定時間、例えば５分間に排水された重量を測定することにより、試験することができる。次に、基材を漏斗から外し、基材を反対側に裏返して、漏斗の出口に再度取り付ける。基材が両方向に同一でない限りは、反対方向の水流動速度を測定し、結果の平均をとる。水流動速度は、次の式により、ｃｍ3／ｃｍ2／ｓで表される。
【０１２３】
水流動速度＝（水６００ｇ）ｘ（１ｃｍ3／ｇ）／｛πｘ（１．２ｃｍ）2ｘ（秒での平均時間）｝
【０１２４】
【表１−１】
2004532776.tif 000005
【０１２５】
【表１−２】
2004532776.tif 000006
【実施例】
【０１２６】
（実施例１）
この実施例は、クリフ（CLIFF：商標）（布様に成形したフィルム）水流開孔フィルムを含む流量制御層を有するが、このフィルムは、トレドガー社（Tredegar Corp.）により供給される、ＬＤＰＥにアトマー（ATMER：商標、ユニキーマ（Uniquema））を１％有しシリコーンを０．８ｇｓｍコーティングされたものであって、材料を通る水流動速度が６０ｃｍ2／ｃｍ3／ｓであり；この層は、フリースストッフベルク・ザンドラー社（Vliessstoffwerk Sandler GmbH & Co.KG）から入手可能な８０ｇｓｍのポリエステル／ポリエチレンテレフタレート詰綿を含む流体貯蔵層の上に重ねられてあり；詰綿自体も０．２ｍｍ厚さの流体不透過性のＬＤＰＥフィルム層の上に重ねられたものである。全ての層が円筒状で、１０ｃｍの直径を有する。
【０１２７】
塗布具は、流体不透過性のフィルム層の上に流体貯蔵層を置いて組立てる。上の処方１で定義したローション３ｍｌを流体貯蔵層中に充満させて、流量制御層を流体貯蔵層の上に置く。基材は、その周辺部の周りで超音波シールにより結合される。
【０１２８】
（実施例２）
この実施例は、コロビン（Corovin）からのスパンボンド加工されたフィルムの厚さが０．５ｍｍのＬＬＤＰＥ６０ｇｓｍを含む皮膚接触層と、その下に配置されたアトマー（ATMER、ユニキーマ（Uniqema））を１％有しシリコーンを０．８ｇｓｍコーティングされたＬＤＰＥを水流開孔したフィルムであって、材料を通る水流動速度１００ｃｍ2／ｃｍ3／ｓを有するクリフ（CLIFF：商標）（布様成形フィルム）を含む流量制御層と、その下に配置されたカナダのテクセル（Texel）により供給される２００ｇｓｍのニードルパンチされたビスコースを含む流体貯蔵層と、その下に配置されたＡＣＥ社（ACE SA、ベルギー）より供給されるフィルムの厚さが0．２ｍｍの流体不透過性のＬＤＰＥフィルム層とを含む。流体不透過性の層は、フィブレラ（Fibrella）からのレーヨン：ポリプロピレンを５０：５０含んで水流交絡した皮膚接触層（供給コード３１００６２）の上に重ねられる。全ての層は、直径８ｃｍの丸い縁を有する四角形状である。
【０１２９】
塗布具は、液体不透過性の層を手に接触する層の上に置いて組立てる。次に、流体貯蔵層を液体不透過性のフィルムの上に置き、処方２で定義したローション１０ｍｌを流体貯蔵層に充満させて、流量制御層及び皮膚接触層を流体貯蔵層の上に置く。基材は、周辺部の周り及び中央部で超音波シールにより結合される。
【図面の簡単な説明】
【０１３０】
本明細書は本発明を特定して指摘し明確に請求する請求項で完結するが、添付図面と共になされる好ましい実施形態についての次の説明により、本発明がよりよく理解されるであろうと考える。添付図面では、同一の要素は同じ参照番号によって識別される。
【図１】本使い捨て流体塗布具に加熱又は冷却を提供する本明細書の後文に定義する温度変更要素を含む、本発明の実施形態を示す。
【図２】本使い捨て流体塗布具に加熱又は冷却を提供する本明細書の後文に定義する温度変更要素を含む、本発明の実施形態を示す。
【図１】
2004532776.tif 000007
【図２】
2004532776.tif 000008
【国際公開パンフレット】
2004532776.tif 000009
2004532776.tif 000010
2004532776.tif 000011
2004532776.tif 000012
2004532776.tif 000013
2004532776.tif 000014
2004532776.tif 000015
2004532776.tif 000016
2004532776.tif 000017
2004532776.tif 000018
2004532776.tif 000019
2004532776.tif 000020
2004532776.tif 000021
2004532776.tif 000022
2004532776.tif 000023
2004532776.tif 000024
2004532776.tif 000025
2004532776.tif 000026
2004532776.tif 000027
2004532776.tif 000028
2004532776.tif 000029
2004532776.tif 000030
2004532776.tif 000031
2004532776.tif 000032
2004532776.tif 000033
2004532776.tif 000034
2004532776.tif 000035
2004532776.tif 000036
2004532776.tif 000037
2004532776.tif 000038
2004532776.tif 000039
2004532776.tif 000040
2004532776.tif 000041
2004532776.tif 000042
2004532776.tif 000043
2004532776.tif 000044
2004532776.tif 000045
2004532776.tif 000046
2004532776.tif 000047
2004532776.tif 000048
2004532776.tif 000049
2004532776.tif 000050
2004532776.tif 000051
2004532776.tif 000052
2004532776.tif 000053
2004532776.tif 000054
2004532776.tif 000055
2004532776.tif 000056
【国際公開パンフレット（コレクトバージョン）】
2004532776.tif 000057
2004532776.tif 000058
【国際調査報告】
2004532776.tif 000059
2004532776.tif 000060
2004532776.tif 000061
2004532776.tif 000062